(57)【特許請求の範囲】
【請求項１】
身体に形成した孔を介して宝石（７）の小片を取り付ける装置（１），特にイヤリング装置（１）であって，
軸（２）及び該軸（２）が挿着されて，該軸（２）の横方向と該軸（２）の軸方向と同方向の間で回動可能かつ前記軸方向に移動可能に支持されたキャッチ（３）から成り，
前記軸（２）は，前記孔を通過するのに適する棒状であって，軸方向に沿って穿設され内部に嵌挿される軸状のスタッド（２３）を移動可能にガイドするスロット（１３）を備え，かつ，前記軸（２）の側面に軸方向に沿って形成された複数の切欠（１７）と先端面に形成された切欠（１６）を備え；
前記キャッチ（３）は，ハウジング（２７）と，前記軸（２）を嵌装する平行なフランジ（２２）を有し，該フランジ（２２）に前記スタッド（２３）が挿着されると共に，
前記ハウジング（２７）内の発条（３１）を介して，前記切欠（１７，１６）と係合するよう付勢される係止手段（３１，３２，３３）を備え，
前記スタッド（２３）を前記軸（２）のスロット（１３）に挿着して，前記係止手段（３３）が，前記軸（２）の側面の前記切欠（１７）に選択的に係合する係止位置にあるとき前記キャッチ（３）が前記軸（２）に対して横方向に配置され，前記軸（２）の先端面の前記切欠（１６）に係合する係止解除位置にあるとき前記キャッチ（３）が前記軸（２）と一直線に並んで配置されることを特徴とする装置（１）。
【請求項２】
少なくとも前記軸（２）の先端面の切欠（１６）と該切欠（１６）に係合するビーズ（３３）を備え，前記キャッチを前記係止解除位置で選択的に係止する係止手段（３１，３２，３３）を更に備えることを特徴とする請求項１記載の装置。
【請求項３】
前記係止手段が，ボルト，好ましくはビーズ（３３），及び，前記ボルトを前記軸（２）に接触させて保持するための可撓性手段 （３１，３２）を備えることを特徴とする請求項１又は２記載の装置。
【発明の詳細な説明】
【発明の詳細な説明】
【０００１】
本発明は，宝石の分野に関し，特にボディピアッシングを介して挿入された宝石，特にイヤリングに関する。
【０００２】
イヤリングは一般に，できる限り全ての耳の形状とサイズに適応することを想定したワンサイズのものである。しかし，耳の形とサイズは非常に多様で，そのようなイヤリングは，完璧に適合することは殆ど無く，例えば，イヤリングを装飾する宝石の小片は不完全に支持されて，魅力的でない位置に取り付けられことになる。
【０００３】
本発明の目的は，特に，耳に宝石を良好に支持するために設けることに適した，身体に形成した孔を介して宝石の小片を取り付けるための装置，特にイヤリング装置を提供することである。
【０００４】
本発明によると，身体に形成された貫通孔を介して宝石の小片を取り付ける装置，特にイヤリング装置は，
軸（２）及び該軸（２）が挿着されて，該軸（２）の横方向と該軸（２）の軸方向と同方向の間で回動可能かつ前記軸方向に移動可能に支持されたキャッチ（３）から成り，
前記軸（２）は，前記孔を通過するのに適する棒状であって，軸方向に沿って穿設され内部に嵌挿される軸状のスタッド（２３）を移動可能にガイドするスロット（１３）を備え，かつ，前記軸（２）の側面に軸方向に沿って形成された複数の切欠（１７）と先端面に形成された切欠（１６）を備え；
前記キャッチ（３）は，ハウジング（２７）と，前記軸（２）を嵌装する平行なフランジ（２２）を有し，該フランジ（２２）に前記スタッド（２３）が挿着されると共に，
前記ハウジング内の発条（３１）を介して，前記切欠（１７，１６）と係合するよう付勢される係止手段（３１，３２，３３）を備え，
前記スタッド（２３）を前記軸（２）のスロット（１３）に挿着して，前記係止手段（３３）が，前記軸（２）の側面の前記切欠（１７）に選択的に係合する係止位置にあるとき前記キャッチ（３）が前記軸（２）に対して横方向に配置され，前記軸（２）の先端面の前記切欠（１６）に係合する係止解除位置にあるとき前記キャッチ（３）が前記軸（２）と一直線に並んで配置されることを特徴とする。
【０００５】
有利には，この装置は，前記キャッチを前記係止解除位置で選択的に係止する係止手段を更に備える。
【０００６】
キャッチは，ボルトと，該ボルトを軸に接触させて保持する可撓性手段を備えてもよく，軸はボルトを受容するハウジングを備えてもよく，係止手段はハウジング，ボルト及び可撓性手段を備えることに適している。このように，ボルトがハウジングの１つに係合する際，軸の上のハウジングの位置に応じて，キャッチは，その係止解除位置又は対応する係止位置の１つに保持される。可撓性手段によってボルトにかけられた係止力より大きな力が，前記ハウジングからボルトを引き抜くことを可能にする。
【０００７】
好ましくは，キャッチは接触されたビーズの形状であり，好ましくは可撓性手段によって軸に対して回転する。ハウジングは軸に沿ったボルトの移動の方向に関連した横方向の切欠であり得る。
【０００８】
幾つかの実施態様及び代替実施態様を，非限定的な実施例として，添付図面を参照して以下に記載する。
【図面の簡単な説明】
【０００９】
【図１】係止位置における，イヤリングのための本発明による装置の部分的に透明な概略図；
【図２】係止解除位置における，図１の装置の，該図１と同様の概略図；及び，
【図３】図２における装置のIII線矢視図。
【００１０】
これらの図面は，イヤリングを装着する人の耳を通過することが想定される軸２及び耳にイヤリングを保持することが想定されるキャッチ３を備えるイヤリング装置１を図示する。図１は更に，宝石７の小片のためマウント４を図示しており，前記マウント４は別個に設計され，軸２の前方に形成された取り付け頭部６に取り付けられることが想定される。
【００１１】
装置１は，その位置にかかわらず，特に係止解除位置又は係止位置は，図１及び図２に示すように平面Ｐに対して略対称である。
【００１２】
図１に示す位置では，キャッチ３は軸に対して横方向に配置され，それにより，軸が耳に挿入される際，耳の後ろに配置されるキャッチにより，装置１に嵌合されるイヤリングが事故的に外れることを防ぐ。
【００１３】
イヤリングを装飾する宝石の小片の一例は，図１で一点鎖線で概略的に示され，好ましくは，はんだ付けでマウント４に取り付けられて，それにより，キャッチによって耳にイヤリングが保持され，耳は宝石７の小片とキャッチ３との間に係合される。マウント４の後部に伸長するガイドピン５は，頭部６の相補的な形状１０に係合して設けられ，それにより，装置１に関して宝石７の小片の正確な位置決めを確実にする。
【００１４】
軸２の頭部６は，マウント４のハウジング９の内部に固定するために設けられたバネリング８を備えており，それにより，軸２に宝石７の小片を取り付ける。平坦な棒１１は方向Ｘ２に沿って頭部から後部まで伸長する。棒１１は，互いに，かつ，対称の平面Ｐと平行な２つの面１２を有し，該棒は，一方の面１２から他方の面１２までの平面を通り，方向Ｘ２に沿って伸長する長方形のスロット１３を形成する。図１の平面では，頭部６に対向する棒１１の後端部１４は円形である。端部切欠１６が前記端部に形成される。５つの側部切欠１７が棒１１の左の横方向の端（図１及び図２の位置）に形成される。前記側部切欠は後端部１４よりも頭部６に近い。切欠はシリンダの一部である。
【００１５】
キャッチ３は軸Ｘ３に沿って長手方向に伸長し，装置がその係止解除位置にあるとき，実質的に方向Ｘ２と統合される。キャッチ３は直径Ｄ３を有する略円筒形の形状を有する。
【００１６】
キャッチ３は図１の右側に第１の部分を備え，２つのフランジ２２から成り（図３を参照のこと），その間で棒１１が摺動可能なキャップ２１を形成する。スタッド２３は，キャッチ３の長手端部２４，２６からの距離，特に，キャップ２１の２つのフランジの間に自由開放端部を形成する第１の長手端部２４からの距離を離間して，キャップ２１により支えられる。
【００１７】
キャッチ３は図１の左側に第２の部分を備え，円筒形のハウジング２７を形成する。ハウジング２７は第２の長手端部２６の側部で閉じられ，該長手端部２６の側部は，第１の長手端部２４と長手方向で対向する。他方の側において，スタッド２３の側部では，第２の部分が，ハウジング２７の直径よりも小径の円筒形の通路２８を備える；先細のネック２９は，ハウジング２７及び通路２８に接合する。ハウジング２７は球３２及び該球３２をネック２９に押し返すために配置される螺旋バネ３１を備える。キャッチ３は更に通路２８に収容されたビーズ３３を備え，バネ３１の作用によって球３２により軸に対して押されたままで保持される。
【００１８】
ブリッジ３６が，キャッチ３の第１の端部２４の近くで，２つのフランジ２２を結合する。該ブリッジは，軸の右端に設けられた凹部３７に当接するように該凹部３７に挿入されることが想定される；このように，ロックが係止解除位置にあるとき，凹部３７でブリッジ３６が当接しているために，第２の部分は右に傾けることはできないが，左に，すなわち図１に図示された位置にだけ傾けることができる。
【００１９】
図２及び図３において装置１が係止解除位置にあるとき，後部切欠１６と係合したビーズは；球３２によって保持され，バネ３１によりかけられた圧力の下，キャッチは自然に軸と整列されたままになり，耳を通したイヤリングの位置決めを容易にする。キャッチを軸の後端部１４及びスロット１３のスタッド２３の周りで左に回転することは，ビーズが後部切欠１６の一方側に沿って上昇することを要求し，バネの作用に対してかかる力は，ビーズ３３が，切欠１６の外に出るまで，キャッチ３の第２の端部２６に向かって球３２を押し返す。
【００２０】
キャッチが軸に対して略垂直になるまでに，回転は継続してもよく，キャッチ３は，軸２に沿って頭部６に向かって移動した後，スロット１３に係合されたスタッド２３により案内される。この移動の間に，ビーズは最初に側部切欠１７の最後部に係合し；その移動が頭部６に向かって継続する場合，ビーズは側部切欠１７の一つに係合し，その後，他の側部切欠１７に係合する。ビーズは，係合された切欠から出て，この切欠の一つの側部に沿って上方に動き，バネの動きに対して力をかけるにつれ，係止手段であるビーズ３３が切欠から出るまで，キャッチの第２の端部２６に向かって球３２を押し返す。側部切欠１７のうち，耳にイヤリングの良好な保持を可能にする切欠は，耳の厚さ及び視覚的なアピール及び求める付け心地に応じて選択される。
【００２１】
キャッチ３及び切欠１６，１７は，イヤリングを通常に使用する間は，ビーズは選択された切欠と係合されたままでいて，イヤリングの使用者に求められる過度ではない力により，ビーズを切欠から外すように設計される。
【００２２】
図示された実施例では，図２及び図３における係止解除位置では，軸及びキャッチが，０.９５mmの直径Ｄ３を有するシリンダ内に内接される。本発明はここに記載した実施例に限定されるものではない。
【００２３】
このように，上記実施形態とは異なり，キャップは軸により形成されてもよく，平坦な棒はキャッチにより形成されてもよい。
【００２４】
キャッチが軸に硬固に接続されたままであり，したがって，紛失することがないため，本発明による装置も特に有利である。
【図１】
0006636942.tif 000002
【図２】
0006636942.tif 000003
【図３】
0006636942.tif 000004